(57)【要約】【課題】歌唱者の撮影画像に適切な装飾図案を合成できるようにする。【解決手段】楽曲が選択されると（Ｓ１１）、その伴奏及び背景画像の再生が開始する（Ｓ１２）。これに加えて、伴奏及び背景画像の再生が終了するまで歌唱者が繰り返し撮像され（Ｓ１３〜１５）、伴奏及び背景画像の再生が終了すると（Ｓ１５で“Ｙ”）、選択された楽曲のジャンルに対応するフレームが特定された上で撮影された静止画像と特定されたフレームとが一覧表示される（Ｓ１６）。一覧表示された静止画像及びフレームの中から所望のものが選択されると（Ｓ１７）、選択されたフレームに対応する料金が選択された静止画像及びフレームを合成した画像とともに表示される（Ｓ１８）。表示されたとおりの料金が投入されると（Ｓ１９で“Ｙ”）、選択された静止画像と選択されたフレームとが合成された画像が印刷される（Ｓ２０）。【選択図】  図３
2005181616.tif 000002
【特許請求の範囲】
【請求項１】
歌唱音声を入力する音声入力手段と、楽曲の選択を受け付ける楽曲選択手段と、少なくとも前記選択された楽曲の伴奏音楽及び歌詞を前記入力された歌唱音声とともにスピーカ及びディスプレイで再生する再生手段と、前記選択された楽曲の伴奏音楽及び歌詞の再生に同期して被写体を撮像し、被写体像を表す被写体画像を出力する撮像手段と、前記被写体画像を装飾するための装飾画像を前記楽曲に対応させて記憶する記憶手段と、前記被写体画像と前記選択された楽曲に対応する装飾画像とを合成する合成手段と、前記合成された画像を所定の印刷媒体に印刷する印刷手段とを備えるカラオケ装置。
【請求項２】
前記選択された楽曲に対応する装飾画像を前記ディスプレイに表示させて前記ディスプレイに表示させた装飾画像の中から１つの装飾画像の選択を受け付ける装飾画像選択手段をさらに備え、前記合成手段は前記選択された装飾画像と前記被写体像画像とを合成する請求項１に記載のカラオケ装置。
【請求項３】
印刷料金の投入を受け付ける料金投入手段をさらに備え、前記記憶手段は前記装飾画像に印刷料金を対応させて記憶し、前記印刷手段は前記選択された装飾画像に対応する印刷料金が前記料金投入手段に投入されたことに応じて前記合成された画像を所定の印刷媒体に印刷する請求項２に記載のカラオケ装置。
【請求項４】
被写体画像を前記ディスプレイに表示させて前記ディスプレイに表示させた被写体画像の選択を受け付ける被写体画像選択手段をさらに備え、前記合成手段は前記選択された楽曲に対応する装飾画像と前記選択された被写体像画像とを合成する請求項１〜３のいずれか１項に記載のカラオケ装置。
【請求項５】
前記記憶手段は前記楽曲に前記楽曲の分類を対応させかつ前記分類に前記装飾画像を対応させて記憶し、前記合成手段は前記選択された楽曲に対応する分類にさらに対応する装飾画像と前記被写体画像とを合成する請求項１〜４のいずれか１項に記載のカラオケ装置。
【請求項６】
前記撮像手段は前記選択された楽曲の伴奏音楽及び歌詞の再生開始から終了までの間、所定時間ごとに被写体を撮像する請求項１〜５のいずれか１項に記載のカラオケ装置。
【発明の詳細な説明】
【技術分野】
【０００１】
本発明は、歌唱者を撮影し得られた画像を印刷するカラオケ装置に関する。
【背景技術】
【０００２】
従来、カラオケの歌唱者を撮影し、その撮像をプリントできるカラオケ装置が様々開発されている。例えば、特許文献１のカラオケ装置は、曲のサビ部分などで適宜に照明条件を変えて歌唱者を撮影し、その映像と選択された適宜な装飾図案とを合成した画像をビデオプリンタで印刷する。また、特許文献２のカラオケ装置は、カラオケ装置を現に利用する歌唱者の誕生日がカラオケ装置の利用当日であるか否かを判断し、利用当日である場合は歌唱者の撮影画像に特定の装飾図案を合成する。また、特許文献３のカラオケ遊戯システムは、マイクロホンの位置を追尾して歌唱者をスポット照明させ、十分な照明のもとで歌唱者を撮影する。
【特許文献１】特開平１０−３１９９８０号公報
【特許文献２】特開平１１−２４６８１号公報
【特許文献３】特開平１１−２４６８４号公報
【発明の開示】
【発明が解決しようとする課題】
【０００３】
ところで、特許文献１〜３のカラオケ装置は、楽曲の演奏開始に先立ち、装飾図案のジャンルの中から希望のものを１つ選択させてそのジャンルに属する複数の装飾図案を表示し、その中から希望の装飾図案を選択させるのであるが、歌唱者はいちいちジャンルを選択する必要があり煩雑である。このような問題点に鑑み、本発明は歌唱者の撮影画像に適切な装飾図案を合成できるようにすることを目的とする。
【課題を解決するための手段】
【０００４】
上述の課題を解決するための請求項１に係る発明は、歌唱音声を入力する音声入力手段と、楽曲の選択を受け付ける楽曲選択手段と、少なくとも前記選択された楽曲の伴奏音楽及び歌詞を前記入力された歌唱音声とともにスピーカ及びディスプレイで再生する再生手段と、前記選択された楽曲の伴奏音楽及び歌詞の再生に同期して被写体を撮像し、被写体像を表す被写体画像を出力する撮像手段と、前記被写体画像を装飾するための装飾画像を前記楽曲に対応させて記憶する記憶手段と、前記被写体画像と前記選択された楽曲に対応する装飾画像とを合成する合成手段と、前記合成された画像を所定の印刷媒体に印刷する印刷手段とを備えるカラオケ装置である。
【０００５】
請求項２に係る発明は、前記選択された楽曲に対応する装飾画像を前記ディスプレイに表示させて前記ディスプレイに表示させた装飾画像の中から１つの装飾画像の選択を受け付ける装飾画像選択手段をさらに備え、前記合成手段は前記選択された装飾画像と前記被写体像画像とを合成する請求項１に記載のカラオケ装置である。
【０００６】
請求項３に係る発明は、印刷料金の投入を受け付ける料金投入手段をさらに備え、前記記憶手段は前記装飾画像に印刷料金を対応させて記憶し、前記印刷手段は前記選択された装飾画像に対応する印刷料金が前記料金投入手段に投入されたことに応じて前記合成された画像を所定の印刷媒体に印刷する請求項２に記載のカラオケ装置である。
【０００７】
請求項４に係る発明は、被写体画像を前記ディスプレイに表示させて前記ディスプレイに表示させた被写体画像の選択を受け付ける被写体画像選択手段をさらに備え、前記合成手段は前記選択された楽曲に対応する装飾画像と前記選択された被写体像画像とを合成する請求項１〜３のいずれか１項に記載のカラオケ装置である。
【０００８】
請求項５に係る発明は、前記記憶手段は前記楽曲に前記楽曲の分類を対応させかつ前記分類に前記装飾画像を対応させて記憶し、前記合成手段は前記選択された楽曲に対応する分類にさらに対応する装飾画像と前記被写体画像とを合成する請求項１〜４のいずれか１項に記載のカラオケ装置である。
【０００９】
請求項６に係る発明は、前記撮像手段は前記選択された楽曲の伴奏音楽及び歌詞の再生開始から終了までの間、所定時間ごとに被写体を撮像する請求項１〜５のいずれか１項に記載のカラオケ装置である。
【発明の効果】
【００１０】
上記発明によると、楽曲の選択が受け付けられ、選択された楽曲の伴奏音楽、歌詞及び歌唱音声の再生に同期して被写体（具体的には歌唱者）が撮像され、その被写体画像が出力される。各楽曲には装飾画像が対応づけられて記憶されており、被写体画像には選択された楽曲に対応する装飾画像が合成される。この合成画像がプリント用紙などの所定の印刷媒体に印刷される。従って、楽曲に適切な装飾画像を対応づけて記憶させておけば、印刷される被写体画像にふさわしい装飾画像が合成されて印刷され、カラオケ装置の興趣性が高まる。
【発明を実施するための最良の形態】
【００１１】
以下、添付した図面を参照し本発明の好ましい実施例を説明する。
【実施例１】
【００１２】
（１）機能構成
図１は本発明の好ましい一実施例に係るカラオケ装置のブロック図である。このカラオケ装置は、中央制御部１、撮像装置２、ハードディスク装置３、ビデオＣＤチェンジャ４、映像制御部５、操作制御部６、操作パネル７、ビデオＲＡＭ８、リモコン送信部９、リモコン受信部１０、モデム１１、マイクロホン１２、シンセサイザ１３、アンプ１４、スピーカ１７及び料金投入部１８を備えている。ハードディスク装置３は、カラオケ楽曲の伴奏データや楽曲の歌詞をテキストで示す歌詞データや、ＣＣＤカメラなどで構成される撮像装置２で撮影した静止画像の周縁を装飾するフレームの画像データ（以下、フレームデータ）などを記憶している。ハードディスク装置３に記憶されるデータについては後述する。このフレームデータ、伴奏データ及び歌詞データは、モデム１１及び通信回線網１５を介して接続された遠隔のホスト装置１６から適宜配信される。中央制御部１は、リモコン受信部１０と無線接続されるリモコン送信部９や操作パネル７の操作により操作制御部６を介して楽曲選択を受け付け、選択された楽曲の伴奏データをハードディスク装置３から読み出し、シンセサイザ１３に出力する。シンセサイザ１３は、伴奏データから伴奏音楽のアナログ音声信号を生成してアンプ１４に出力する。アンプ１４は、シンセサイザ１３からの伴奏音楽のアナログ音声信号とマイクロホン１２から出力された歌唱音声のアナログ音声信号とを合成してスピーカ１７に出力する。スピーカ１７は出力されたアナログ音声信号を空気中に拡声する。
【００１３】
一方、中央制御部１はビデオＣＤチェンジャ４を制御して選択された楽曲の伴奏データの音声出力に同期させてカラオケの背景画像となるビデオＣＤを再生させるとともにハードディスク装置３から歌詞データを読み出し、再生された映像データと読み出した歌詞データとを合成してビデオＲＡＭ８に記憶させる。さらに、中央制御部１は選択された楽曲に対応するフレームデータをハードディスク装置３から映像制御部５に出力させる。撮像装置２は歌唱者を撮影できる適切な位置に設置されており、中央制御部１の制御に従って所定のタイミングで被写体即ち歌唱者を撮影し、撮影の結果得た静止画像を映像制御部５に出力する。映像制御部５は、撮像装置２からの静止画像データとハードディスク装置３からのフレームデータとを合成する。また、映像制御部５は、ビデオＲＡＭ８の合成映像あるいは静止画像とフレーム画像との合成画像のディスプレイ８０への出力を切り換える。料金投入部１８は、利用者が投入する金額の過不足を検出し、その検出信号を中央制御部１に通知する。プリンタ４０は、リモコン送信部９や操作パネル７の操作及び料金投入部１８への料金投入に応じ、映像制御部５から出力される静止画像とフレーム画像との合成画像をプリント用紙などの所定の印刷媒体に印刷する。なお、料金投入部１８は、硬貨（コイン）のみならず、紙幣の検出も可能であり、釣銭の返却機能や、投入金の強制返却機能を有している。また、現金決済に限らず、クレジットカードやプリペイドカードのような決済手段を利用して、利用料金を支払うことができるように構成する態様も可能である。
【００１４】
図２は、ハードディスク装置３に記憶されるデータをテーブル形式で示した一例である。この図に示すように、各伴奏データＤＡＴＡ１、ＤＡＴＡ２、ＤＡＴＡ３・・にはその伴奏音楽のジャンルが対応づけられており、さらにジャンルには静止画像に合成させるフレームデータが対応づけられている。フレームデータにはさらに料金が対応づけられている。中央制御部１は、このテーブルを参照し、選択された楽曲の伴奏データに対応するフレームデータと料金を特定することができる。
【００１５】
（２）カラオケ装置の動作
以下、図３のフローチャートに基づき、本実施例のカラオケ装置の動作を説明する。Ｓ１１では、中央制御部１はリモコン送信部９や操作パネル７の操作により楽曲選択を受け付ける。Ｓ１２では、中央制御部１は、選択された楽曲の伴奏データをハードディスク装置３から読み出してシンセサイザ１３に出力する一方、これに同期させてカラオケの背景画像となるビデオＣＤをビデオＣＤチェンジャ４から再生させるとともにハードディスク装置３から歌詞データを読み出し、再生された映像データと読み出した歌詞データとを合成してビデオＲＡＭ８に記憶させる。映像制御部５は、ビデオＲＡＭ８の合成映像をディスプレイ８０へ出力させる。
【００１６】
Ｓ１３〜１５では、中央制御部１は、選択された楽曲の再生に同期させて撮像装置２に撮像を行なわせる。本実施例では、中央制御部１は楽曲の再生開始から終了まで所定時間Ｔ１が経過する度（例えば１０秒ごと）に撮像装置２に撮像を行なわせるものとするが、撮影の開始・終了のタイミングや回数は適宜設定可能であり、例えば撮影回数を制限したり、あるいは曲のサビ部分で撮影させるなどしてもよい。Ｓ１６では、映像制御部５は、Ｓ１１で選択された楽曲の伴奏データに対応するフレームデータを図２のテーブルから特定し、特定されたフレームデータで示されるフレームの一覧を撮影された静止画像の一覧とともにディスプレイ８０に表示させる。例えば、図４に示すように、複数の静止画像２０ａ〜ｃを枠２０内に一覧表示させ、複数のフレーム２１ａ〜ｂを枠２１内に一覧表示させる。Ｓ１７では、中央制御部１はリモコン送信部９や操作パネル７の操作により一覧表示させた静止画像及びフレームから所望の静止画像及びフレームの選択を受け付ける。静止画像及びフレームの選択は、例えばリモコン送信部９や操作パネル７の操作によりカーソル３１、３２を移動させて選択したい静止画像及びフレームを指示させればよい。
【００１７】
Ｓ１８では、中央制御部１はＳ１７で選択されたフレームに対応する料金をハードディスク装置３から特定し、この料金をＳ１７で選択された静止画像及びフレームを合成した画像とともにディスプレイ８０に表示させる。例えば、図４のようにカーソル３１、３２で静止画像２０ｂ及びフレーム２１ｂが選択されている場合、ディスプレイ８０には図５のような画像が表示される。Ｓ１９では、Ｓ１８で表示した料金と同額の料金が料金投入部１８に投入されたか否かを判断する。投入された場合はＳ２０に移行し、投入されていない場合は投入があるまで待機する。Ｓ２０では、プリンタ４０はＳ１７で選択された静止画像及びフレームを合成した画像を所定の印刷媒体に印刷する。
【００１８】
（３）本実施例に係るカラオケ装置の特徴
上述のように、楽曲が選択されると（Ｓ１１）、その伴奏及び背景画像の再生が開始する（Ｓ１２）。これに加えて、伴奏及び背景画像の再生が終了するまで歌唱者が繰り返し撮像され（Ｓ１３〜１５）、伴奏及び背景画像の再生が終了すると（Ｓ１５で“Ｙ”）、選択された楽曲のジャンルに対応するフレームが特定された上で撮影された静止画像と特定されたフレームとが一覧表示される（Ｓ１６）。一覧表示された静止画像及びフレームの中から所望のものが選択されると（Ｓ１７）、選択されたフレームに対応する料金が選択された静止画像及びフレームを合成した画像とともに表示される（Ｓ１８）。表示されたとおりの料金が投入されると（Ｓ１９で“Ｙ”）、選択された静止画像と選択されたフレームとが合成された画像が印刷される（Ｓ２０）。
【００１９】
従って、ハードディスク装置３において楽曲のジャンルに適切なフレームを対応づけておけば（図２参照）、印刷すべき静止画像にふさわしいフレームが楽曲の終了とともに表示され、歌唱者は自分の歌唱した曲にふさわしいフレームを容易に選択できる。また、ハードディスク装置３においてフレームごとに適切な料金を対応させておくことで（図２参照）、フレームの内容に応じた料金設定ができる。そして、楽曲の選択によって選択できるフレームや画像の印刷料金が変化することとなり、本カラオケ装置の興趣性が高まる。
【実施例２】
【００２０】
実施例１においては、ハードディスク装置３にはジャンルとフレームデータが対応付けられていたが（図２参照）、伴奏データとフレームデータとを一対一に対応付けてもよい。このようにすれば、楽曲の選択によりフレームデータが一義的に定まり、歌唱者がいちいちフレームを選択しなくて済む。
【実施例３】
【００２１】
実施例１においては、楽曲の再生終了後にフレームを一覧表示していたが（Ｓ１６）、楽曲選択後から楽曲再生開始までの間（Ｓ１１〜１２）にフレームを一覧表示して所望のフレームを選択させてもよい。そして、Ｓ１７では、撮影された静止画像のみを一覧表示させて所望の静止画像を選択させるようにしてもよい。
【図面の簡単な説明】
【００２２】
【図１】本発明の好ましい実施例に係るカラオケ装置の機能構成図。
【図２】ハードディスク装置に記憶されるデータの一例。
【図３】カラオケ装置の動作の流れを示すフローチャート。
【図４】撮影された静止画像及びフレームの一覧表示の例。
【図５】選択された静止画像及びフレームの合成画像及び印刷料金の表示例。
【符号の説明】
【００２３】
１・・中央制御部、２・・撮像装置、３・・ハードディスク装置、５・・映像制御部、７・・操作パネル、８・・ビデオＲＡＭ、９・・リモコン送信部、１８・・料金投入部、４０・・プリンタ
【図１】
2005181616.tif 000003
【図２】
2005181616.tif 000004
【図３】
2005181616.tif 000005
【図４】
2005181616.tif 000006
【図５】
2005181616.tif 000007